(57)【要約】【課題】密閉性が従来品以上に高いケーブルグランドを提供する。【解決手段】ケーブルグランドは、本体、スリーブ及びキャップを有する。スリーブは、柱状に形成された柱状部と、当該柱状部の一端に鍔状に設けられたフランジ部とを有する。柱状部には柱状部を軸方向に貫通する少なくとも１つの挿通孔が形成されて、当該挿通孔にケーブルを挿通可能に構成される。フランジ部は、被取付部材を貫通する開口に柱状部が本体とともに挿入された際に、開口の周縁において被取付部材に対向する環状部を有し、当該環状部には環状の凹面が設けられて、吸盤として機能するように構成されている。【選択図】図５
2020120427.tif 000002
【特許請求の範囲】
【請求項１】
本体、スリーブ及びキャップを有し、
前記本体は、筒状に構成されて、前記本体の外周面には当該外周面に沿って螺線を描く雄ねじ部が形成され、前記本体の一端には当該一端から突出する複数の爪部が設けられ、
前記スリーブは、柱状に形成された柱状部と、当該柱状部の一端に鍔状に設けられたフランジ部とを有し、前記柱状部には前記柱状部を軸方向に貫通する少なくとも１つの挿通孔が形成されて、当該挿通孔にケーブルを挿通可能に構成され、前記柱状部が前記本体の内周側に配置されて、当該柱状部の外周面を囲む位置に前記複数の爪部が配置され、
前記キャップは、筒状に構成されて、前記キャップの内周面には当該内周面に沿って螺線を描く雌ねじ部が形成されて当該雌ねじ部と前記雄ねじ部が螺合可能に構成され、前記キャップの内周面には、前記雌ねじ部と前記雄ねじ部とを螺合させた際に前記複数の爪部に外周側から接触して前記爪部の突出方向先端を内周側へと変位させる押し当て部が設けられ、
前記フランジ部は、被取付部材を貫通する開口に前記柱状部が前記本体とともに挿入された際に、前記開口の周縁において前記被取付部材に対向する環状部を有し、
前記環状部が、吸盤として機能するように構成されている
ケーブルグランド。
【請求項２】
請求項１に記載のケーブルグランドであって、
さらに、前記雄ねじ部と螺合可能に構成されたナットを有する
ケーブルグランド。
【請求項３】
請求項１又は請求項２に記載のケーブルグランドであって、
さらに、前記本体の外周側に嵌め込まれるワッシャーを有する
ケーブルグランド。
【請求項４】
請求項１から請求項３までのいずれか一項に記載のケーブルグランドであって、
前記挿通孔の内部には、少なくとも１つのシール部が設けられ、
前記シール部は、環状に形成されて、前記シール部の外周側で前記柱状部に接続され、前記シール部の内径は前記挿通孔の内径よりも小とされて、前記挿通孔にケーブルが挿通される際には、前記シール部が変形しつつ前記ケーブルの外周に密着するように構成されている
ケーブルグランド。
【発明の詳細な説明】
【技術分野】
【０００１】
本開示は、ケーブルグランドに関する。
【背景技術】
【０００２】
各種機器の筐体に設けられた開口に取り付けられて、その開口に通されるケーブルを保持するケーブルグランドが知られている（例えば、特許文献１参照。）。特許文献１に記載のケーブルグランドの場合、本体、スリーブ及びキャップを備え、本体にスリーブが嵌め込まれた状態で、キャップを本体に螺合させることにより、スリーブを縮径方向に変形させて、ケーブルを保持することができる。
【先行技術文献】
【特許文献】
【０００３】
【特許文献１】特開２０１８−９８８２９号公報
【発明の概要】
【発明が解決しようとする課題】
【０００４】
上述のようなケーブルグランドを利用すれば、筐体の開口を通じて筐体の外部から内部へ水や埃等の異物が侵入するのを、ある程度は抑制することができる。しかし、機器の設置された環境や用途によっては、更に高い密閉性を求められる場合がある。
【０００５】
本開示の一局面においては、密閉性が従来品以上に高いケーブルグランドを提供することが望ましい。
【課題を解決するための手段】
【０００６】
本開示の一態様は、ケーブルグランドであって、本体、スリーブ及びキャップを有する。また、本体は、筒状に構成されて、本体の外周面には当該外周面に沿って螺線を描く雄ねじ部が形成され、本体の一端には当該一端から突出する複数の爪部が設けられる。スリーブは、柱状に形成された柱状部と、当該柱状部の一端に鍔状に設けられたフランジ部とを有し、柱状部には柱状部を軸方向に貫通する少なくとも１つの挿通孔が形成されて、当該挿通孔にケーブルを挿通可能に構成され、柱状部が本体の内周側に配置されて、当該柱状部の外周面を囲む位置に複数の爪部が配置される。キャップは、筒状に構成されて、キャップの内周面には当該内周面に沿って螺線を描く雌ねじ部が形成されて当該雌ねじ部と雄ねじ部が螺合可能に構成され、キャップの内周面には、雌ねじ部と雄ねじ部とを螺合させた際に複数の爪部に外周側から接触して爪部の突出方向先端を内周側へと変位させる押し当て部が設けられる。フランジ部は、被取付部材を貫通する開口に柱状部が本体とともに挿入された際に、開口の周縁において被取付部材に対向する環状部を有し、前記環状部が、吸盤として機能するように構成されている。
【０００７】
このように構成されたケーブルグランドによれば、ケーブルグランドは、被取付部材を貫通する開口に取り付けられて、その開口に通されるケーブルを保持することができる。しかも、被取付部材の開口に柱状部が本体とともに挿入された際に、フランジ部の環状部は吸盤として機能して被取付部材に吸着する。そのため、被取付部材の開口はフランジ部に覆われる状態で密閉されるので、このようなフランジ部が設けられていない従来品に比べ、密閉性を高め、筐体の外部から内部へ水や埃等の異物が侵入するのを抑制することができる。
【図面の簡単な説明】
【０００８】
【図１】図１Ａは第１実施形態のケーブルグランドを左前上方から見た斜視図である。図１Ｂは第１実施形態のケーブルグランドを分解して左前上方から見た斜視図である。
【図２】図２Ａは第１実施形態のケーブルグランドを右後下方から見た斜視図である。図２Ｂは第１実施形態のケーブルグランドを分解して右後下方から見た斜視図である。
【図３】図３Ａは第１実施形態のケーブルグランドの平面図である。図３Ｂは第１実施形態のケーブルグランドの左側面図である。図３Ｃは第１実施形態のケーブルグランドの正面図である。図３Ｄは第１実施形態のケーブルグランドの右側面図である。図３Ｅは第１実施形態のケーブルグランドの背面図である。図３Ｆは第１実施形態のケーブルグランドの底面図である。
【図４】図４Ａは図３ＥにＩＶＡ−ＩＶＡ線で示す切断面におけるケーブルグランドの断面図である。図４Ｂは図４Ａに示すＩＶＢ部の拡大図である。図４Ｃは図４Ａに示すケーブルグランドにケーブルが通された状態を示す断面図である。図４Ｄは図４Ｃに示すＩＶＤ部の拡大図である。
【図５】図５は第１実施形態のケーブルグランドが被取付部材に取り付けられてケーブルが保持された状態を示す断面図である。
【図６】図６Ａは第２実施形態のケーブルグランドを示す断面図である。図６Ｂは第３実施形態のケーブルグランドを示す断面図である。
【図７】図７Ａは第４実施形態のケーブルグランドを示す斜視図である。図７Ｂは第５実施形態のケーブルグランドを示す斜視図である。
【発明を実施するための形態】
【０００９】
次に、上述のケーブルグランドについて、例示的な実施形態を挙げて説明する。
（１）第１実施形態
以下の説明においては、ケーブルグランドの正面図（図３Ｃ参照。）に表れる箇所が向けられる方向を前、背面図（図３Ｅ参照。）に表れる箇所が向けられる方向を後、左側面図（図３Ｂ参照。）に表れる箇所が向けられる方向を左、右側面図（図３Ｄ参照。）に表れる箇所が向けられる方向を右、平面図（図３Ａ参照。）に表れる箇所が向けられる方向を上、底面図（図３Ｆ参照。）に表れる箇所が向けられる方向を下、と規定する。これらの各方向は、ケーブルグランドを構成する各部の相対的な位置を簡潔に説明するために規定する方向である。ケーブルグランドの使用時等に、ケーブルグランドをどのような方向に向けて使用するかは任意である。
【００１０】
［ケーブルグランドの構成］
図１Ａ、図１Ｂ、図２Ａ、図２Ｂ、図３Ａ、図３Ｂ、図３Ｃ、図３Ｄ、図３Ｅ及び図３Ｆに示すように、ケーブルグランド１は、本体３、スリーブ５及びキャップ７を有する。本体３及びキャップ７は、金属又は硬質プラスチック（例えば、ポリアミドやポリプロピレン等。）等によって構成される。スリーブ５は、エラストマー（例えば、合成ゴム等の熱硬化性エラストマー又は熱可塑性エラストマー等。）によって構成される。
【００１１】
本体３は、筒状に構成されている。本体３の外周面には、外周面に沿って螺線を描く雄ねじ部１１が形成されている。図１Ｂ及び図２Ｂに示すように、本体３の一端（本実施形態でいう後端。）には、複数（本実施形態においては１０個。）の爪部１３が設けられ、本体３の他端（本実施形態でいう前端。）には、鍔状に構成された取付部１５が設けられている。爪部１３は、弾性変形可能に構成され、爪部１３の外周側から力が作用した際に弾性変形して突出方向先端側が内周側へと変位するように構成されている。
【００１２】
スリーブ５は、柱状に形成された柱状部２１と、当該柱状部２１の一端（本実施形態でいう前端。）に鍔状に設けられたフランジ部２２とを有する。柱状部２１の外周面には、図１Ｂ及び図２Ｂに示すように、複数（本実施形態においては９つ。）のリブ２３が設けられている。柱状部２１には、柱状部２１を軸方向（本実施形態でいう前後方向。）に貫通する少なくとも１つ（本実施形態においては７つ。）の挿通孔２４が形成されている。挿通孔２４の内部には、図４Ａ及び図４Ｂに示すように、少なくとも１つ（本実施形態においては挿通孔２４毎に２つずつ。）のシール部２５が設けられている。
【００１３】
シール部２５は、環状に形成されて、シール部２５の外周側で柱状部２１に接続されている。図４Ｂに示すように、シール部２５の内径Ｒ１は、挿通孔２４の内径Ｒ２よりも小とされている。フランジ部２２には、被取付部２６が設けられている。被取付部２６は、本体３の取付部１５を嵌め込み可能な形状の凹部を有する部分である。フランジ部２２には、環状部２７が設けられている。環状部２７には、環状の凹面２７Ａが設けられている。環状部２７において、環状の凹面２７Ａの内周側には環状突起２７Ｂが設けられ、環状の凹面２７Ａの外周側には外縁部２７Ｃが設けられている。
【００１４】
キャップ７は、筒状に構成されている。キャップ７の内周面には、図１Ｂ及び図２Ｂに示すように、内周面に沿って螺線を描く雌ねじ部３１が形成されている。キャップ７の雌ねじ部３１と本体３の雄ねじ部１１は、互いに螺合可能に構成されている。キャップ７の内周面には、押し当て部３３が設けられている。押し当て部３３は、雌ねじ部３１と雄ねじ部１１とを螺合させた際に複数の爪部１３に外周側から接触し、爪部１３の突出方向先端を内周側へと変位させる。
【００１５】
ケーブルグランド１の使用時には、図４Ａ、図４Ｃ及び図５に示すように、スリーブ５の柱状部２１が本体３の内周側に配置される。柱状部２１の外径は本体３の内径よりも僅かに大とされている。そのため、柱状部２１が本体３の内周側に挿し込まれると柱状部２１が縮径方向に弾性変形し、柱状部２１の外周面は本体３の内周面に対して加圧接触する。特に、柱状部２１の外周面において上述のリブ２３が設けられた箇所では、リブ２３のない箇所よりも接触圧が増大する。このような構成により、柱状部２１の外周面と本体３の内周面を密着させることができ、柱状部２１の外周面と本体３の内周面が相対的に周方向へ変位するのを抑制することができる。スリーブ５の柱状部２１が本体３の内周側に配置された際、複数の爪部１３は、柱状部２１の外周面を囲む位置に配置される。
【００１６】
フランジ部２２の被取付部２６には、本体３の取付部１５が嵌め込まれる。取付部１５の寸法は、被取付部２６が有する凹部の寸法よりも僅かに大とされている。そのため、取付部１５が被取付部２６に嵌め込まれると、被取付部２６が弾性変形し、被取付部２６と取付部１５が加圧接触する。これにより、被取付部２６と取付部１５を密着させることができ、本体３とスリーブ５が相対的に軸方向へ変位するのを抑制することができる。
【００１７】
本体３及びスリーブ５は、図５に示すように、被取付部材５１（例えば、板材。）を貫通する開口５３に挿し込まれる。スリーブ５のフランジ部２２は、開口５３の周囲において被取付部材５１の第１面５１Ａに接触する。挿通孔２４には、ケーブル６１が挿通される。挿通孔２４にケーブル６１が挿通された際には、図４Ｄに示すように、シール部２５が変形しつつケーブル６１の外周に密着する。このようなシール部２５を設けることにより、挿通孔２４の内部における密閉性を高めることができる。なお、ケーブル６１の外径が挿通孔２４の内径よりも僅かに大となっていれば、挿通孔２４の内部においてケーブル６１とスリーブ５を密着させることもできる。
【００１８】
本体３の雄ねじ部１１は、開口５３を通り抜けて被取付部材５１の第２面５１Ｂ側から突出し、その突出する雄ねじ部１１にキャップ７の雌ねじ部３１が螺合する。キャップ７を本体３に対してねじ込むと、キャップ７の一端は被取付部材５１の第２面５１Ｂに接触する位置に達する。その位置から更にキャップ７を本体３に対してねじ込むと、スリーブ５の環状部２７及び被取付部材５１が本体３の取付部１５とキャップ７との間に挟まれ、スリーブ５の環状部２７は、被取付部材５１に押し付けられて弾性変形する。
【００１９】
より詳しくは、環状部２７が被取付部材５１に押し付けられると、外縁部２７Ｃが拡径方向に弾性変形し、図４Ａ等に示す形状から図５に示す形状に変形する。外縁部２７Ｃが図５に示す形状まで変形すると、環状突起２７Ｂは、突出方向先端面が開口５３の周囲において被取付部材５１の第１面５１Ａに接触する。その際、環状部２７の凹面２７Ａと被取付部材５１の第１面５１Ａとによって囲まれる閉空間から空気が押し出され、その閉空間には大気圧よりも低い負圧が生じ、環状部２７が被取付部材５１の第１面５１Ａに吸着する。すなわち、環状部２７は、吸盤として機能して被取付部材５１の第１面５１Ａに吸着する。
【００２０】
キャップ７の押し当て部３３は、キャップ７の雌ねじ部３１と本体３の雄ねじ部１１とを螺合させた際に、複数の爪部１３に外周側から接触し、爪部１３の突出方向先端を内周側へと変位させる。このとき、爪部１３は、スリーブ５の柱状部２１を縮径方向に圧縮し、スリーブ５の柱状部２１はケーブル６１に対して加圧接触する。これにより、スリーブ５とケーブル６１を密着させることができ、スリーブ５とケーブル６１が相対的に軸方向へ変位するのを抑制することができる。
【００２１】
［効果］
このように構成されたケーブルグランド１によれば、被取付部材５１を貫通する開口５３にケーブルグランド１を取り付けて、その開口５３に通されるケーブル６１をケーブルグランド１で保持することができる。しかも、被取付部材５１の開口５３に柱状部２１が本体３とともに挿入された際には、フランジ部２２の環状部２７が吸盤として機能して被取付部材５１の第１面５１Ａに吸着する。そのため、被取付部材５１の開口５３はフランジ部２２に覆われる状態で密閉されるので、このようなフランジ部２２が設けられていない従来品に比べ、密閉性を高め、筐体の外部から内部へ水や埃等の異物が侵入するのを抑制することができる。
【００２２】
（２）第２実施形態
第１実施形態では、スリーブ５のフランジ部２２とキャップ７との間に被取付部材５１を挟み込むことにより、ケーブルグランド１を被取付部材５１に取り付ける例を示したが、ケーブルグランド１の取り付け方法は、図５に示す取り付け方法に限定されない。
【００２３】
具体的な例を挙げれば、例えば、図６Ａに示すように、雄ねじ部１１と螺合可能に構成されたナット３５を併用してもよい。このようなナット３５を併用すれば、ナット３５の本体３に対する相対位置を、キャップ７とは独立に変更することができる。したがって、キャップ７の位置については、押し当て部３３で爪部１３を押圧するのに好適な位置としたまま、ナット３５の位置を被取付部材５１の厚さに応じた最適な位置に変更でき、様々な板厚に対応可能とすることができる。
【００２４】
ただし、上述のようなナット３５を採用すると、その分だけ部品点数が増える。したがって、第１実施形態に示した構成の方が、部品点数を削減することができる。
（３）第３実施形態
第３実施形態では、図６Ｂに示すように、本体３の外周側に嵌め込まれるワッシャー３７を併用している。このようなワッシャー３７を併用すれば、被取付部材５１の板厚が想定より薄い場合であっても、ケーブルグランド１を被取付部材５１に取り付けることができる。また、ワッシャー３７がスプリングワッシャーであれば、キャップ７が被取付部材５１の第２面５１Ｂから離れる方向へと付勢される。したがって、スプリングワッシャーの付勢力でスリーブ５のフランジ部２２を被取付部材５１の第１面５１Ａに押し付けることができ、ケーブルグランド１と被取付部材５１との間の密閉性を高めることができる。
【００２５】
ただし、上述のようなワッシャー３７を採用すると、その分だけ部品点数が増える。したがって、第１実施形態に示した構成の方が、部品点数を削減することができる。
（４）第４実施形態
図７Ａに示すように、ケーブルグランド１０１は、本体３、スリーブ１０５及びキャップ７を有する。本体３及びキャップ７は、第１実施形態と同様に構成されている。スリーブ１０５は、柱状に形成された柱状部１２１と、当該柱状部１２１の一端（本実施形態でいう前端。）に鍔状に設けられたフランジ部１２２とを有する。柱状部１２１は、第１実施形態において説明した柱状部２１と同様に構成されている。
【００２６】
フランジ部１２２には、環状部１２７が設けられている。この環状部１２７の細部の形状が第１実施形態の環状部２７とは相違する。具体的には、第１実施形態の場合、環状部２７には、環状の凹面２７Ａが設けられていたが、第４実施形態の場合は、８つのリブ１２７Ｄによって区切られた８つの凹部１２７Ａが設けられている。８つのリブ１２７Ｄは、環状突起１２７Ｂから遠心方向へ放射状に延びている。８つの凹部１２７Ａの外周側には外縁部１２７Ｃが設けられている。
【００２７】
このように構成されたケーブルグランド１０１であっても、第１実施形態のケーブルグランド１と同様の作用、効果を奏する。すなわち、第１実施形態において例示した環状部２７では、環状の凹面２７Ａが設けられている旨を説明したが、環状の凹面２７Ａを有するか否かは任意である。
【００２８】
（５）第５実施形態
図７Ｂに示すように、ケーブルグランド２０１は、本体３、スリーブ２０５及びキャップ７を有する。本体３及びキャップ７は、第１実施形態と同様に構成されている。スリーブ２０５は、柱状に形成された柱状部２２１と、当該柱状部２２１の一端（本実施形態でいう前端。）に鍔状に設けられたフランジ部２２２とを有する。柱状部２２１は、第１実施形態において説明した柱状部２１と同様に構成されている。
【００２９】
フランジ部２２２には、環状部２２７が設けられている。この環状部２２７の細部の形状が第１実施形態の環状部２７とは相違する。具体的には、第１実施形態の場合、環状部２７には、環状の凹面２７Ａが設けられていたが、第５実施形態の場合は、図中でいう後方から見て円形に見える２０個の凹部２２７Ａが設けられている。２０個の凹部２２７Ａの外周側には外縁部２２７Ｃが設けられている。
【００３０】
このように構成されたケーブルグランド２０１であっても、第１実施形態のケーブルグランド１と同様の作用、効果を奏する。すなわち、第１実施形態において例示した環状部２７では、環状の凹面２７Ａが設けられている旨を説明したが、環状の凹面２７Ａを有するか否かは任意である。
【００３１】
（６）他の実施形態
以上、ケーブルグランド１について、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００３２】
例えば、第２実施形態において示したナット３５又は第３実施形態において示したワッシャー３７を、第４実施形態において示したケーブルグランド１０１と併用してもよい。また、第２実施形態において示したナット３５又は第３実施形態において示したワッシャー３７を、第５実施形態において示したケーブルグランド２０１と併用してもよい。また、第２実施形態において示したナット３５と第３実施形態において示したワッシャー３７を併用してもよい。
【００３３】
なお、上記実施形態では、環状部２７が吸盤として機能するように構成されていたが、高い密閉性が求められない用途であれば、環状部２７が吸盤として機能しない構造になっていても、ケーブルグランドとして使用することが可能である。この場合でも、上述の本体３、スリーブ５及びキャップ７からなるケーブルグランド１であれば、ナット３５やワッシャー３７を併用する場合に比べ、部品点数を削減することができる。
【００３４】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００３５】
（７）補足
なお、以上説明した例示的な実施形態から明らかなように、本開示のケーブルグランドは、更に以下に挙げるような構成を備えていてもよい。
【００３６】
本開示の一態様では、さらに、雄ねじ部と螺合可能に構成されたナットを有してもよい。
本開示の一態様では、さらに、本体の外周側に嵌め込まれるワッシャーを有してもよい。
【００３７】
本開示の一態様では、挿通孔の内部には、少なくとも１つのシール部が設けられてもよい。シール部は、環状に形成されて、シール部の外周側で柱状部に接続され、シール部の内径は挿通孔の内径よりも小とされて、挿通孔にケーブルが挿通される際には、シール部が変形しつつケーブルの外周に密着するように構成されていてもよい。
【符号の説明】
【００３８】
１，１０１，２０１…ケーブルグランド、３…本体、５，１０５，２０５…スリーブ、７…キャップ、１１…雄ねじ部、１３…爪部、１５…取付部、２１，１２１，２２１…柱状部、２２，１２２，２２２…フランジ部、２３…リブ、２４…挿通孔、２５…シール部、２６…被取付部、２７，１２７，２２７…環状部、２７Ａ…凹面、１２７Ａ，２２７Ａ…凹部、２７Ｂ，１２７Ｂ…環状突起、２７Ｃ，１２７Ｃ，２２７Ｃ…外縁部、１２７Ｄ…リブ、３１…雌ねじ部、３３…押し当て部、３５…ナット、３７…ワッシャー、５１…被取付部材、５１Ａ…第１面、５１Ｂ…第２面、５３…開口、６１…ケーブル。
【図１】
2020120427.tif 000003
【図２】
2020120427.tif 000004
【図３】
2020120427.tif 000005
【図４】
2020120427.tif 000006
【図５】
2020120427.tif 000007
【図６】
2020120427.tif 000008
【図７】
2020120427.tif 000009